(57)【要約】レーザ投射デバイス（ＬＰＤ）を制御するための装置が提供される。上記装置は、液晶ディスプレイ・コントローラと、レーザ投射ディスプレイ・コントローラと、レーザ投射ディスプレイ・エンジンとを備える。液晶ディスプレイ・コントローラは、画像表示を示すビデオ信号を受信することと、上記ビデオ信号を液晶ディスプレイ・パネルを制御するのに適切な制御信号に変換することとに適合している。レーザ投射デバイス・コントローラは、制御信号を液晶ディスプレイ・コントローラから受信することと、上記制御信号をレーザ投射ディスプレイを制御するのに用いることとに適合している。レーザ投射デバイス・エンジンは、レーザ投射デバイス・コントローラの制御下で画像を表示することに適合している。
2007519950.tif 000002
【特許請求の範囲】
【請求項１】
画像表示を示すビデオ信号を受信することと、該ビデオ信号を液晶ディスプレイ・パネルを制御するのに適切な制御信号に変換することとに適合した、液晶ディスプレイ・コントローラと、
該制御信号を該液晶ディスプレイ・コントローラから受信することと、該制御信号をレーザ投射ディスプレイを制御するのに用いることとに適合した、レーザ投射デバイス・コントローラと
を備える、装置。
【請求項２】
前記レーザ投射デバイス・コントローラの制御下で画像を表示することに適合したレーザ投射デバイス・エンジンをさらに備える、請求項１に記載の装置。
【請求項３】
前記液晶ディスプレイ・パネルを制御するための前記制御信号は、ピクセルデータを含む、請求項１に記載の装置。
【請求項４】
前記液晶ディスプレイ・パネルを制御するための前記制御信号は、フレームラインとクロックとを含む、請求項１に記載の装置。
【請求項５】
前記レーザ投射ディスプレイ・コントローラと前記液晶ディスプレイ・コントローラとが、ソフトウェア制御の下で動作する、請求項１に記載の装置。
【請求項６】
前記レーザ投射ディスプレイ・コントローラと前記液晶ディスプレイ・コントローラとが、共通のデバイスに含まれる、請求項５に記載の装置。
【請求項７】
前記レーザ投射ディスプレイ・コントローラと前記液晶ディスプレイ・コントローラとが、共通のソフトウェア・プログラムの制御の下で動作する、請求項６に記載の装置。
【請求項８】
画像表示を示すビデオ信号を受信することと、該ビデオ信号を液晶ディスプレイ・パネルを制御するのに適切な制御信号に変換することとに適合した、液晶ディスプレイ・コントローラと、
該制御信号を該液晶ディスプレイ・コントローラから受信することと、該液晶ディスプレイ・パネル制御信号をレーザ投射ディスプレイ・エンジンを制御するのに適切な制御信号に変換することとに適合した、レーザ投射デバイス・コントローラと、
該レーザ投射デバイス・コントローラの制御下で画像を表示することに適合した、レーザ投射デバイス・エンジンと
を備える、装置。
【請求項９】
前記液晶ディスプレイ・パネルを制御するための前記制御信号は、ピクセルデータを含む、請求項８に記載の装置。
【請求項１０】
前記液晶ディスプレイ・パネルを制御するための前記制御信号は、フレームラインとクロックとを含む、請求項８に記載の装置。
【請求項１１】
前記レーザ投射ディスプレイ・コントローラと前記液晶ディスプレイ・コントローラとが、ソフトウェア制御の下で動作する、請求項８に記載の装置。
【請求項１２】
前記レーザ投射ディスプレイ・コントローラと前記液晶ディスプレイ・コントローラとが、共通のデバイスに含まれる、請求項８に記載の装置。
【請求項１３】
前記レーザ投射ディスプレイ・コントローラと前記液晶ディスプレイ・コントローラとが、共通のソフトウェア・プログラムの下で動作する、請求項８に記載の装置。
【請求項１４】
レーザ投射デバイス・エンジンを制御する方法であって、
画像表示を示すビデオ信号を受信することと、
該ビデオ信号を液晶ディスプレイ・パネルを制御するのに適切な制御信号に変換することと、
該液晶ディスプレイパネルに対する該制御信号を受信することと、
該制御信号をレーザ投射ディスプレイを制御するのに適切な制御信号に変換することと
を含む、方法。
【発明の詳細な説明】
【技術分野】
【０００１】
一般に、本発明は、電子ディスプレイに関し、特に、液晶ディスプレイ（ＬＣＤ：Ｌｉｑｕｉｄ  Ｃｒｙｓｔａｌ  Ｄｉｓｐｌａｙ）・コントローラによって駆動するレーザ投射ディスプレイ（ＬＰＤ：Ｌａｓｅｒ  Ｐｒｏｊｅｃｔｉｏｎ  Ｄｉｓｐｌａｙ）に関する。
【背景技術】
【０００２】
近年、共通の位置に投射される２本以上のレーザを採用した光学的デバイスが発達してきた。例えば、カラー型のレーザ投射デバイス（ＬＰＤ：ｌａｓｅｒ  ｐｒｏｊｅｃｔｉｏｎ  ｄｅｖｉｃｅ）では、３本のレーザが、単一の共通の位置に投射されるように配置され得る。３本のレーザの各々は、固有のカラー・コンポーネントを有し、その輝度（ｉｎｔｅｎｓｉｔｙ）は、単一の共通の位置に現れる混合光（ｃｏｍｂｉｎｅｄ  ｌｉｇｈｔ）の色合い（ｈｕｅ）を変動させるように制御され得る。比較的複雑かつ高解像度のカラー・ディスプレイは、各レーザを制御可能であるように励起することに加え、２次元配列において、３本のレーザからの光を走査することによって生成され得る。
【０００３】
これまでのところ、様々な別のディスプレイ・デバイスが発達してきた。例えば、電子産業界は、液晶ディスプレイ（ＬＣＤ）・パネルと電子コントローラとを設計および製造するために、相当な努力と資金とをつぎ込んできた。上記電子コントローラは、ビデオ信号から画像を抽出し、それら画像を微調整して、ＬＣＤパネル上で、より望ましい画像に到達させるような処置を行うために必要なものである。しかしながら、ＬＣＤコントローラによって生成される信号は、より最近になって発達したＬＰＤとは、直接的には両立しない。このため、ＬＣＤパネルがＬＰＤによって実質的に置き換えられてしまうと、ＬＣＤコントローラに投資された努力と資金とは、ほとんど無駄になり得る。さらに、ＬＰＤを用いること、および、受け入れることは、商業上の使用に耐える比較的複雑なＬＰＤコントローラが発達する時点まで、鈍重であり得る。
【０００４】
本発明は、上記で述べられた問題点の１つ以上を克服、または、少なくとも低減することに向けられている。
【発明の開示】
【課題を解決するための手段】
【０００５】
（発明の要約）
本発明の一局面によれば、ある装置が提供される。上記装置は、液晶ディスプレイ・コントローラと、レーザ投射ディスプレイ・コントローラとを備える。液晶ディスプレイ・コントローラは、画像表示を示すビデオ信号を受信することと、上記ビデオ信号を液晶ディスプレイ・パネルを制御するのに適切な制御信号に変換することとに適合している。レーザ投射デバイス・コントローラは、上記制御信号を液晶ディスプレイ・コントローラから受信することと、上記制御信号をレーザ投射ディスプレイを制御するのに用いることとに適合している。
【０００６】
本発明の別の局面によれば、ある装置が提供される。上記装置は、液晶ディスプレイ・コントローラと、レーザ投射ディスプレイ・コントローラと、レーザ投射ディスプレイ・エンジンとを備える。液晶ディスプレイ・コントローラは、画像表示を示すビデオ信号を受信することと、上記ビデオ信号を液晶ディスプレイ・パネルを制御するのに適切な制御信号に変換することとに適合している。レーザ投射デバイス・コントローラは、制御信号を液晶ディスプレイ・コントローラから受信することと、上記制御信号をレーザ投射ディスプレイを制御するのに用いることとに適合している。レーザ投射デバイス・エンジンは、レーザ投射デバイス・コントローラの制御下で画像を表示することに適合している。
【０００７】
本発明のさらに別の局面によれば、レーザ投射デバイス・エンジンを制御するための方法が提供される。上記方法は、画像表示を示すビデオ信号を受信することと、上記ビデオ信号を液晶ディスプレイ・パネルを制御するのに適切な制御信号に変換することとを含む。したがって、液晶ディスプレイ・パネルに対する制御信号は、受信され、レーザ投射ディスプレイを制御するのに適切な信号に変換される。
【０００８】
本発明は、添付の図面と関連して述べられた以下の記述を参照することにより、理解され得る。上記図面では、同じ番号が同じ要素を特定する。
【０００９】
本発明は、様々な改変と代替的な形態とを許容し、特定の実施形態は、図面において例示的に示され、ここで詳細に記述される。しかしながら、特定の実施形態に関するここでの記述は、本発明を開示された特定の形態に制限することを意図したものではないことが理解され得、一方で、添付の請求の範囲によって規定された本発明の精神と範囲とに含まれる改変、同等物、代替物の全てをカバーすることを意図していることが理解され得る。
【発明を実施するための最良の形態】
【００１０】
（特定の実施形態に関しての詳細な記述）
本発明に関する例示的な実施形態が以下で記述される。明快さを求める趣旨により、実際の実施における全ての特徴が本明細書に記述されているわけではない。言うまでもなく、そのような実際の実施形態のうちいずれの開発においても、開発者の目標を達成するために、実施特有の多くの決定がなされ得ることが、理解され得る。上記目標は、例えば、システムに関係した制約、および、ビジネスに関係した制約であって、ある実施と他の実施とでは異なり得る。さらに、そのような開発に関する努力は、複雑かつ時間を要するものであるが、本開示の利益を有する当業者にはルーチンな仕事であり得ることが理解され得る。
【００１１】
以下の同時係属の出願は、参考のためその全体を本明細書に援用する。Ｍｉｋ  Ｓｔｅｒｎ他による、Ｍｅｔｈｏｄ  ａｎｄ  Ａｐｐａｒａｔｕｓ  ｆｏｒ  Ａｌｉｇｎｉｎｇ  ａ  Ｐｌｕｒａｌｉｔｙ  ｏｆ  Ｌａｓｅｒｓ  ｉｎ  ａｎ  Ｅｌｅｃｔｒｏｎｉｃ  Ｄｉｓｐｌａｙ  Ｄｅｖｉｃｅ、Ｍｉｋ  Ｓｔｅｒｎ他による、Ｍｅｔｈｏｄ  ａｎｄ  Ａｐｐａｒａｔｕｓ  ｆｏｒ  Ｃｏｎｔｒｏｌｌａｂｌｙ  Ｒｅｄｕｃｉｎｇ  Ｐｏｗｅｒ  Ｄｅｌｉｖｅｒｅｄ  ｂｙ  ａ  Ｌａｓｅｒ  Ｐｒｏｊｅｃｔｉｏｎ  Ｄｉｓｐｌａｙ、Ｎａｒａｙａｎ  Ｎａｍｂｕｄｉｒｉ他による、Ｍｅｔｈｏｄ  ａｎｄ  Ａｐｐａｒａｔｕｓ  ｆｏｒ  Ｄｉｓｐｌａｙｉｎｇ  Ｉｎｆｏｒｍａｔｉｏｎ  ｉｎ  Ａｕｔｏｍｏｔｉｖｅ  Ａｐｐｌｉｃａｔｉｏｎｓ  Ｕｓｉｎｇ  ａ  Ｌａｓｅｒ  Ｐｒｏｊｅｃｔｉｏｎ  Ｄｉｓｐｌａｙ、Ｎａｒａｙａｎ  Ｎａｍｂｕｄｉｒｉ他による、Ｍｅｔｈｏｄ  ａｎｄ  Ａｐｐａｒａｔｕｓ  ｆｏｒ  Ｐｒｏｖｉｄｉｎｇ  ａｎ  Ｉｎｔｅｒｆａｃｅ  Ｂｅｔｗｅｅｎ  ａ  Ｌｉｑｕｉｄ  Ｃｒｙｓｔａｌ  Ｄｉｓｐｌａｙ  Ｃｏｎｔｒｏｌｌｅｒ  ａｎｄ  ａ  Ｌａｓｅｒ  Ｐｒｏｊｅｃｔｉｏｎ  Ｄｉｓｐｌａｙ、Ｐａｕｌ  Ｄｖｏｒｋｉｓ他による、Ａ  Ｃｏｌｏｒ  Ｌａｓｅｒ  Ｐｒｏｊｅｃｔｉｏｎ  Ｄｉｓｐｌａｙ、Ｃｈｉｎｈ  Ｔａｎ他による、Ｍｅｔｈｏｄ  ａｎｄ  Ａｐｐｌａｒａｔｕｓ  ｆｏｒ  Ｃａｐｔｕｒｉｎｇ  Ｉｍａｇｅｓ  Ｕｓｉｎｇ  ａ  Ｃｏｌｏｒ  Ｌａｓｅｒ  Ｐｒｏｊｅｃｔｉｏｎ  Ｄｉｓｐｌａｙ、Ｒｏｎ  Ｇｏｌｄｍａｎ他による、Ａ  Ｌａｓｅｒ  Ｐｒｏｊｅｃｔｉｏｎ  Ｄｉｓｐｌａｙ、Ｃａｒｌ  Ｗｉｔｔｅｎｂｅｒｇ他による、Ｍｅｔｈｏｄ  ａｎｄ  Ａｐｐａｒａｔｕｓ  ｆｏｒ  Ｃｏｎｔｒｏｌｌａｂｌｙ  Ｃｏｍｐｅｎｓａｔｉｎｇ  ｆｏｒ  Ｄｉｓｔｏｒｔｉｏｎｓ  ｉｎ  ａ  Ｌａｓｅｒ  Ｐｒｏｊｅｃｔｉｏｎ  Ｄｉｓｐｌａｙ、Ｄｍｉｔｒｉｙ  Ｙａｖｉｄ他による、Ｍｅｔｈｏｄ  ａｎｄ  Ａｐｐａｒａｔｕｓ  ｆｏｒ  Ｃｏｎｔｒｏｌｌａｂｌｙ  Ｍｏｄｕｌａｔｉｎｇ  ａ  Ｌａｓｅｒ  Ｐｒｏｊｅｃｔｉｏｎ  Ｄｉｓｐｌａｙ。
【００１２】
図面に移り、特に図１を参照する。図１には、本発明によるレーザ投射ディスプレイ（ＬＰＤ）１００の様式図が示されている。示された実施形態において、ＬＰＤ１００は、３本のレーザ１０２，１０４，１０６を含む。３本のレーザの各々は、例えば赤、緑、または青のような単色からなる光線１０８，１１０，１１２を放射することが可能である。当業者は、レーザの本数とレーザから放射された光の色の個数とが、本発明の精神と目的から逸れずに変動し得ることを理解し得る。
【００１３】
レーザ１０２，１０４，１０６は、共通の平面１１４に配置され、光線１０８，１１０，１１２を伴っている。光線１０８，１１０，１１２は、例えば第１の走査鏡１１８のような、第１の走査デバイス上の共通の位置１１６に実質的に向かうよう、お互いに対して角度付けられて配向している。光線１０８，１１０，１１２は、第１の走査鏡１１８から、光線１２０，１２２，１２４として反射している。示された実施形態では、第１の走査鏡１１８は、軸１２０において、比較的高いレート（例えば、約２０〜３０ＫＨｚ）で振動する。第１の走査鏡１１８の回転または振動は、光線１０８，１１０，１１２を移動させる。すなわち、第１の走査鏡１１８の角度位置（ａｎｇｕｌａｒ  ｐｏｓｉｔｉｏｎ）が変化すると、第１の走査鏡１１８から反射した光線１２０，１２２，１２４の角度も変化する。このように、鏡が振動するのに伴い、反射した光線１２０，１２２，１２４は走査され、２次元ディスプレイの一コンポーネントに沿った光線１２０，１２２，１２４の移動を生成する。
【００１４】
２次元ディスプレイの第２のコンポーネントは、鏡１２６のような第２の走査デバイスによって提供される。示された実施形態では、第２の鏡１２６は、回転軸１３０においてモニタ１２８に接続され、第１の鏡１１８の回転軸とは実質的に直交する軸の回りでの回転運動、または、振動運動を生成する。光線１２０，１２２，１２４は、光線１３２，１３４，１３６として第２の鏡１２６で反射し、画面（ｖｉｅｗｉｎｇ  ｓｕｒｆａｃｅ）１３８へ配向される。画面１３８は、本発明の精神と目的から逸れずに、様々な形態のいずれをも取り得る。例えば、画面１３８は、レーザ１０２，１０４，１０６によって前面または光面が照らされた固定されたスクリーンであり得、ＬＰＤ１００と共通の筺体（図示せず）に格納され得る。あるいは、代替的に、画面１３８は、例えばＬＰＤ１００から離れた壁またはスクリーンのような、簡便かつ一般的な平面の形態のいずれをもとり得る。
【００１５】
第２の鏡１２６は、第１の鏡１１８のレートに比べ、比較的遅いレート（例えば、６０ＫＨｚ）で振動または回転する。このため、図２に示されているように、光線１３２，１３４，１３６は、一般に、画面１３８上の経路１４０をたどることが理解される。当業者は、形態および考え方において、陰極線管型のテレビおよびコンピュータモニタに広く用いられているレーザ走査と経路１４０とが、類似していることを理解し得る。
【００１６】
本発明は、ここでは別々の第１および第２の走査鏡１１８，１２６を用いた実施形態という文脈で記述されてはいるが、当業者には、同様な経路１４０が単一の鏡を用いて生成され得ることを理解し得る。単一の鏡は、２つの回転軸の回りで運動し、２つの軸に沿った高速または低速の振動運動を提供することが可能であり得る。
【００１７】
図１から理解できるように、力学的に、レーザ１０２，１０４，１０６が同一の平面１１４に配置され、光学的に、光線１０８，１１０，１１２を同一の点（鏡１１８上の回転軸１２０）に送達する場合でさえも、レーザ１０２，１０４，１０６の角度位置のために、各々は、異なる反射角を有する。上記反射角は、光線１２０，１２２，１２４を分岐させる。コントローラ１４２は、レーザ１０２，１０４，１０６を制御可能なように励起し、光線１２０，１２２，１２４を事実上同一直線上に並ばせ、各光線が第２の鏡１２６から反射させる。そして、第２の鏡１２６から画面１３８への距離とは相対的に独立に、画面１３８上の同一点に送達されるようにする。
【００１８】
ここで、図３Ａと図３Ｂに移る。光線１２０，１２２，１２４を同一直線上に並ばせるコントローラ１４２の動作が示されている。図３には、議論を簡単にするため、２本のレーザ１０２，１０４のみが示されているが、当業者は、ここでの議論の考え方が、本発明の精神と目的から逸れずに、３本以上のレーザに拡張され得ることを理解し得る。図３Ａに示されているように、レーザ１０２，１０４が同時に励起された場合、反射した光線１２０，１２２は、分岐する。しかしながら、図３Ｂに示されているように、レーザ１０２，１０４がわずかに異なる時間で励起された場合、光線１２０，１２２は、単一かつ共通の経路をたどり得る（すなわち、光線１２０，１２２は同一直線状に並ぶ）。例えば、レーザ１０２が第１の時間ｔ１で励起された場合、鏡１１８は、実線で示されているような第１の位置に存在し、光線１０８は、光線１２０と共に鏡１１８から反射し得る。引き続き、レーザ１０４が第２の時間ｔ２で励起された場合、鏡１１８は、破線で示されているような第２の位置に存在し、光線１１０は、光線１２２と共に鏡１１８から反射し得る。時間ｔ２を精密に制御することにより、鏡１１８は、光線１２２を実質的に光線１２０と同一の経路に沿って正確に反射させるような位置に存在し得る。
【００１９】
このように、コントローラ１４２の動作により、光線１２０、１２２は同一直線上に並ぶが、時間が経つと移動することになる。すなわち、光線１２０，１２２の両方は、実質的に、画面１３８の同一点上に、わずかに異なる時間で投射される。しかしながら、ヒトの目の残像性のために、タイミングの変動は検出不可能である。すなわち、図１に示された３本のレーザを用いたシステムの場合、各レーザ１０２，１０４，１０６は、比較的短い時間窓内に、単一の色と輝度とを有したレーザ光を、制御可能なように、実質的に画面１３２の同一点に送達する。ヒトの目は３つの別々の色を検出し得ないが、むしろ、整合した所望の色合いが画面上の点に現れるように、３本の光線の混合光を知覚し得る。当業者は、この工程が経路１４０に沿って夥しい回数にわたり繰り返され、画面上に絵を再現し得ることを理解し得る。
【００２０】
図４は、コントローラ１４２の実施形態を示す様式図である。一般に、図４に示された実施形態において、コントローラ１４２は従来の液晶ディスプレイ（ＬＣＤ）コントローラ４００と、ＬＰＤコントローラ４０２とを備える。この実施形態において、ＬＰＤコントローラ４０２はＬＣＤコントローラ４００の出力端子に連結されている。ＬＰＤコントローラ４０２は、ＬＣＤパネルを通常駆動させ得るような信号／情報を受信するが、本実施形態において、ＬＰＤコントローラ４０２はＬＣＤパネル信号を用いてＬＰＤエンジン４０４を駆動し、所望の表示を生成する。このように、システムは、従来のＬＣＤコントローラ４００を利用して多量の処理を実行し、ＬＰＤコントローラ４００に対してＬＣＤパネル信号／情報の変換という単純なタスクを実行させ、ＬＰＤエンジン４０４を介して、対象（例えば、テキスト、図画、アイコン、等）を制御および表示させる。
【００２１】
ＬＣＤコントローラ４００は、構造面では従来型であり、表示内の各ピクセルに対するピクセルクロックと共に、１６ビット（またはそれ以上）のデータに格納されたピクセル色の輝度情報のような表示情報／信号の提供を行なう。この情報は、ＬＰＤコントローラ４０２で受信され、図１〜３に関連して上述されたタイプのようなＬＰＤエンジン４０４を介してレンダリングされる。ＬＰＤコントローラ４０２は、ピクセルラインとフレームクロック情報とを用いてピクセルデータをキャプチャし、上記情報をレンダリングする。
【００２２】
本発明の代替的な実施形態においては、物理的に分離したＬＣＤコントローラ４００とＬＰＤコントローラ４０２よりもむしろ、一体型のＬＣＤ／ＬＰＤコントローラ５００が示されている。本発明のこの実施形態において、ＬＰＤコントローラは、ＬＣＤコントローラに埋め込まれている。この実施形態において、ＬＰＤエンジン４０４を制御するために必要な特徴がＬＣＤコントローラに追加され、結果として得られた一体型のＬＣＤ／ＬＰＤコントローラ５００は、ソフトウェア、ハードウェア、またはファイアウォールの制御を介して、ＬＣＤまたはＬＰＤの一方を制御できるようになる。一体型のＬＣＤ／ＬＰＤコントローラ５００は、適切な電気信号を提供し、ＬＰＤエンジン４０４または従来のＬＣＤ（図示せず）を介して、画像をレンダリングする。
【００２３】
図６に示されているように、ＬＰＤコントローラ４０２および／または一体型のＬＰＤ／ＬＣＤコントローラ５００は、マイクロプロセッサまたはマイクロコントローラ６００の形態を取り得る。一般に、ＬＰＤコントローラ４０２の機能は、従来のプログラム技術を介してマイクロプロセッサ／マイクロコントローラ６００内に実装され得る。代替的に、例えばＬＣＤコントローラ４００のような従来のＬＣＤコントローラは、マイクロプロセッサ／マイクロコントローラを用いて形成され、ソフトウェア制御下でＬＰＤエンジン４０４またはＬＣＤパネルを制御するよう改変され得る。
【００２４】
ＬＰＤエンジン４０４はまた、図７に示されているような投射機の実施形態としても用いられ得る。ＬＰＤベースの投射機７００は、投射スクリーン７０２を照射するよう配置される。投射スクリーン７０２は、表示能力を向上させるような材料から形成され得る。表示された情報のソース７０４は、デスクトップコンピュータ、ＰＤＡ、携帯電話等のような、様々な形態のうちのいずれをも取り得る。ソース７０４は、有線または無線の様々な通信媒体を介し、投射機７００と接続され得る。
【００２５】
投射機７００は、ＬＰＤコントローラ４０２と共にＬＰＤエンジン４０４を含み得る。ソース７０４は、ＬＣＤコントローラ４０２を含み得、または代替的に、ＬＣＤコントローラ４０２は、投射機７００内部に含まれ得る。投射機７００はまた、メモリ（例えば、ＭＭＣのような半導体メモリ、ＳＤコンパクトフラッシュ（登録商標）、メモリスティック、光学デバイス、磁気デバイス、等）を含み、それらはデータを格納し、制御または表示の目的で用いられ得る。例えば、画像はメモリ内に格納され、投射スクリーン７０２に表示される。
【００２６】
詳細に述べられなかったが、また、議論から明らかではあるが、「処理」または「計算」または「決定」または「表示」等の用語は、コンピュータシステムのアクションとプロセス、または、類似した機能を実行する電子計算機を参照する。上記電子計算機は、コンピュータシステムのレジスタおよびメモリ内部におけるデータ（物理量または電子的な量として表現されている）を処理し、コンピュータシステムのメモリまたはレジスタまたはそのような情報記憶部内部における他のデータ（同様に物理量として表現されている）に変換するようなものである。
【００２７】
当業者は、ここで様々な実施形態において示された様々なシステム層、ルーチン、または、モジュールが、実行可能な制御設備であり得ることを理解し得る。制御設備は、マイクロプロセッサ、マイクロコントローラ、デジタル信号プロセッサ、（１つ以上のマイクロプロセッサまたはマイクロコントローラを含んだ）プロセッサカード、あるいは、その他の制御または計算デバイスを含み得る。本発明で参照された格納デバイスは、データと命令とを格納するための１つ以上の機械可読の格納媒体を含み得る。格納媒体は、異なる形態のメモリを含み得る。例えば、ダイナミック・ランダムアクセスメモリまたはスタティック・ランダムアクセスメモリ（ＤＲＡＭまたはＳＲＡＭ）、消去可能ＲＯＭ（ＥＰＲＯＭ）、電気的消去可能ＲＯＭ（ＥＥＰＲＯＭ）、フラッシュメモリのような半導体メモリデバイスと、固定されたフロッピー（登録商標）、取り外し可能なディスクのような磁気ディスクと、テープを含むその他の磁気媒体と、コンパクトディスク（ＣＤ）のような光学媒体と、あるいは、デジタルビデオディスク（ＤＶＤ）とを含み得る。様々なシステムにおける様々なソフトウェア層、ルーチン、またはモジュールを組成する命令は、それぞれの格納デバイスに格納され得る。命令は、制御設備によって実行された際、プログラムされたアクションを対応するシステムに実行させる。
【００２８】
上記で開示された特定の実施形態は例示のみを目的としたものである。本発明は、改変され得るが、上記とは異なるが当業者にとっては等価であることが明白な方法によって実施され得るため、ここでの教示の利益を有することになる。さらに、ここでの構成または設計に対しては、以下の請求の範囲に記述されているもの以外には、なんら制限が意図されない。結果として、記述されたシステムを実施および使用するために必要な処理回路は、特定用途向け集積回路、ソフトウェア駆動の処理回路、ファームウェア、プログラム可能な論理デバイス、ハードウェアに実施され得る。上記複数のコンポーネントの個々のコンポーネントまたは配置は、本開示の利益を有した当業者には理解され得る。このため、上記で開示された特定の実施形態が変更または改変され得ること、および、そのようなバリエーションの全てが本発明の精神と目的の範囲内にあることは、明白である。このため、ここで保護を求められている対象は、以下の請求項に記載されている通りのものである。
【図面の簡単な説明】
【００２９】
【図１】図１は、本発明に用いられ得るレーザ投射デバイス（ＬＰＤ）の一実施形態に関する平面図についての様式的なブロック図である。
【図２】図２は、図１に示された画面についての様式図である。
【図３Ａ】図３Ａは、動作中のある瞬間におけるスキャニング・デバイスについての平面図を示している。
【図３Ｂ】図３Ｂは、動作中のある瞬間におけるスキャニング・デバイスについての平面図を示している。
【図４】図４は、図１のＬＰＤコントローラの一実施形態についての様式図である。
【図５】図５は、図１のＬＰＤコントローラの代替的な実施形態についての様式図である。
【図６】図６は、図１のＬＰＤコントローラの代替的な実施形態についての様式図である。
【図７】図７は、本発明の実施形態に基づく投射機についての様式図である。
【図１】
2007519950.tif 000003
【図２】
2007519950.tif 000004
【図３Ａ】
2007519950.tif 000005
【図３Ｂ】
2007519950.tif 000006
【図４】
2007519950.tif 000007
【図５】
2007519950.tif 000008
【図６】
2007519950.tif 000009
【図７】
2007519950.tif 000010
【国際調査報告】
2007519950.tif 000011
2007519950.tif 000012
2007519950.tif 000013